(57)【要約】【課題】発光素子からの光による撮影画像への影響を回避することのできる携帯機器、撮影制御方法、及び、撮影制御プログラムを提供する。【解決手段】  表示部にスルー画像を表示させ（Ｓ１）、ＬＥＤインジケーターを点滅動作させる（Ｓ２）。このとき、撮像レンズの近傍に配置されたＬＥＤインジケーターが点滅することにより、被写体に対し、現在、撮影モードであることを知らせることができる。次に、シャッターキーとしての決定キーが操作されたか否かを判断する（Ｓ３）。決定キーが操作されたならば、ＬＥＤインジケーターを消灯させて（Ｓ４）、ＣＣＤの露光時間が経過した否かを判断する（Ｓ５）。ＣＣＤの露光時間が経過するまで、ＬＥＤインジケーターの消灯状態を維持し、露光時間が経過したならば、画像処理（Ｓ７）、及び記録処理（Ｓ８）を実行する。【選択図】    図５
2006038991.tif 000002
【特許請求の範囲】
【請求項１】
撮像手段と、
この撮像手段によって撮像される被写体に向けられて発光するように配置された発光素子と、
現在、撮影モードであることを前記発光素子を点滅させることにより報知する報知手段と、
この報知手段による点滅動作中、前記発光素子の消灯期間中に前記撮像手段に被写体像を結像させるよう制御する撮影制御手段と
を備えることを特徴とする撮像装置。
【請求項２】
撮像部と、この撮像部にて撮像される被写体に向けられて発光するように配置された発光部とを備えた撮像装置の撮影制御方法であって、
現在、撮影モードであることを、前記発光部を点滅させることにより報知する報知ステップと、
この報知ステップによる点滅動作中、前記発光部の消灯期間中に前記撮像手段に被写体像を結像させるよう制御する撮像制御ステップと
からなることを特徴とする撮影制御方法。
【請求項３】
撮像部と、この撮像部にて撮像される被写体に向けられて発光するように配置された発光部とを備える撮像装置が有するコンピュータを、
現在、撮影モードであることを、前記発光素子を点滅させることにより報知する報知手段と、
この報知手段による点滅動作中、前記発光素子の消灯期間中に前記撮像手段に被写体像を結像させるよう制御する撮像制御手段と
して機能させることを特徴とする撮影制御プログラム。
【発明の詳細な説明】
【技術分野】
【０００１】
本発明は、撮像機能を有するとともに発光素子を備えた携帯機器、撮影制御方法、及び、撮影制御プログラムに関する。
【背景技術】
【０００２】
今日においては、所謂カメラ付き携帯電話が出現するに至っている（例えば、特許文献１参照。）。このようなカメラ付き携帯電話においては、着信報知のためのＬＥＤ（発光素子）を、撮影モード時に被写体に対し現在撮影モードであることを点滅報知するために使用するケースも増えている。このためＬＥＤは装置本体のレンズが設けられた面であって、レンズの近傍に配置されている。
【特許文献１】特開平２００３−１２５２７６号公報
【発明の開示】
【発明が解決しようとする課題】
【０００３】
しかしながら、前述のようにＬＥＤ装置本体のレンズが設けられた面に配置すると、例えば夜景モードやマクロ（接写）撮影を行った際、点滅するＬＥＤからの光が被写体に写り込んでしまい、所望の被写体像を撮影記録することができない場合が生じてしまう。
【０００４】
本発明はこのような問題点に鑑みてなされたものであり、発光素子からの光による撮影画像への影響を回避することのできる携帯機器、撮影制御方法、及び、撮影制御プログラムを提供することを目的とする。
【課題を解決するための手段】
【０００５】
前記課題を解決するため請求項１記載の発明に係る撮像装置にあっては、撮像手段と、この撮像手段によって撮像される被写体に向けられて発光するように配置された発光素子と、現在、撮影モードであることを前記発光素子を点滅させることにより報知する報知手段と、この報知手段による点滅動作中、前記発光素子の消灯期間中に前記撮像手段に被写体像を結像させるよう制御する撮影制御手段とを備える。
【０００６】
したがって、発光素子が点滅することにより、ユーザに撮影モードであることが報知される。しかし、発光素子の消灯期間中において、撮像手段に被写体像を結像させることから、夜景モードやマクロ（接写）撮影を行った際、点滅する発光素子からの光が被写体に写り込んでしまうことがない。よって、発光素子の点滅によりユーザに撮影モードであることの報知を可能にしつつ、点滅する発光素子からの光の影響を回避して所望の被写体像を撮影記録することが可能となる。
【０００７】
また、請求項２記載の発明にあっては、撮像部と、この撮像部にて撮像される被写体に向けられて発光するように配置された発光部とを備えた撮像装置の撮影制御方法であって、現在、撮影モードであることを、前記発光部を点滅させることにより報知する報知ステップと、この報知ステップによる点滅動作中、前記発光部の消灯期間中に前記撮像手段に被写体像を結像させるよう制御する撮像制御ステップとからなる。したがって、記載したステップに従って処理を実行することにより、請求項１記載の発明と同様の作用効果を奏する。
【０００８】
また、請求項３記載の発明に係る撮影制御プログラムにあっては、撮像部と、この撮像部にて撮像される被写体に向けられて発光するように配置された発光部とを備える撮像装置が有するコンピュータを、現在、撮影モードであることを、前記発光素子を点滅させることにより報知する報知手段と、この報知手段による点滅動作中、前記発光素子の消灯期間中に前記撮像手段に被写体像を結像させるよう制御する撮像制御手段として機能させる。したがって、前記コンピュータが記載したプログラムに従って処理を実行することにより、請求項１記載の発明と同様の作用効果を奏する。
【発明の効果】
【０００９】
以上説明したように本発明によれば、発光素子が点滅することにより、ユーザに撮影モードであることを報知することができるとともに、発光素子の消灯期間中において、撮像手段に被写体像を結像させることから、夜景モードやマクロ（接写）撮影を行った際、点滅する発光素子からの光が被写体に写り込んでしまうことがない。よって、発光素子の点滅によりユーザに撮影モードであることの報知を可能にしつつ、点滅する発光素子からの光の影響を回避して所望の被写体像を撮影記録することが可能となる。
【発明を実施するための最良の形態】
【００１０】
以下、本発明を携帯電話に適用した実施の形態を図に従って説明する。
【００１１】
（第１の実施の形態）
図１は、本発明の各実施の形態に共通する携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００１２】
本体部の前面には、カメラキー１０４、メールキー１０５、カーソルキー１０６、決定キー１０７、アドレスキー１０８、ネット接続キー１０９、クリアキー１１０、オンフックキー１１１とオフフックキー１１２、数字キー１１３等が設けられている。これらのキーにおいて、カーソルキー１０６、決定キー１０７、アドレスキー１０８、ネット接続キー１０９は、この携帯電話１を右手で握持した場合、当該右手の親指で操作可能な位置に配置されている。
【００１３】
また、カメラキー１０４は、着信待受け状態からカメラモードへの移行時及び撮像部の起動させる際に操作されるとともに、カメラ−ムービー切替に使用される。メールキー１０５は、メールモード移行時及びメールプログラムロード時に操作されるキーである。カーソルキー１０６は、カーソル移動時に操作される。決定キー１０７は各種モードの決定時に操作されるとともに、カメラモードにおいてシャッターキーとして機能する。
【００１４】
アドレスキー１０８は、アドレス帳データを表示する際に操作されるキーであり、ネット接続キー１０９は、外部のネットワーク接続用の操作キーである。クリアキー１１０は、キャンセル指示用のキーであり、数字キー１１３は、文字入力及びダイアル入力用として使用され、数字［０］〜［９］が付されたキー構成されている。
マイク１１４は、本体部の下部に設けられており、通話時において音声入力を行う。
【００１５】
また、蓋部の背面には、録音用マイク１１５、カラー液晶からなるサブ表示部１１６、着信の際の報知用とカメラモード時に発光する報知用とを兼ねるＬＥＤインジケーター１１７、撮像レンズ１１８、及びフラッシュ用ＬＥＤ１１９が配置されている。また、本体部の裏面には報知用スピーカ１２０が配置されている。すなわち、ＬＥＤインジケーター１１７は、撮像レンズ１１８が設けられた面である蓋部の背面において、撮像レンズ１１８の近傍に配置されている。報知用スピーカ１２０は、着信などを報知するものであり、蓋部を本体部に閉じた状態でも報知音が聞こえるように、本体部の裏面に配置されている。
【００１６】
図２は、携帯電話１の構成を示すブロック図である。無線部１２１は、アンテナ１０３に接続されており、ＱＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。
【００１７】
通信データ処理部１２２１は、ＣＥＬＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜数字キー１１３等で構成される。
【００１８】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラム等を格納し、特に本実施の形態においては、ＤＳＰ１３４にてデジタル化された画像データに対し圧縮符号化処理を施すためのプログラムを含むカメラアプリケーション等を記憶する。音源ＩＣ１２６は、報知音の波形を記憶するともに出力するものであって、アンプ１２７は音源ＩＣ１２６からの出力を増幅し、前記報知用スピーカ１２０はこれを再生する。
【００１９】
表示モジュール系ドライバ１２８は、前記メイン表示部１０２、サブ表示部１１６、ＬＥＤインジケーター１１７、及びフラッシュ用ＬＥＤ１１９を駆動するものである。
【００２０】
前記撮像レンズ１１８の光軸上には、ＣＣＤ１３０が配置されており、タイミング信号を発生するＴＧ（Timing Generator ）１３１が発生したタイミング信号に基づきＶドライバー１３２（垂直方向ドライバー）がＣＣＤ１３０を駆動し、それに伴いＣＣＤ１３０により被写体像の輝度に応じたアナログの撮像信号が出力されユニット回路１３３へ送られる。ユニット回路１３３は、ＣＣＤ１３０から出力された撮像信号を保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ１３０の出力信号は、ここで黒レベルを合わせてサンプリングされデジタル信号としてＤＳＰ１３４に送られる。ＤＳＰ１３４は、ユニット回路１３３からのデジタル信号に基づき、イメージデータを生成する。このイメージデータに基づき、表示モジュール系ドライバ１２８がメイン表示部１０２を駆動することにより、撮像レンズ１１８によりＣＣＤ１３０上に結像された被写体像がメイン表示部１０２に表示される。
【００２１】
図３は、プログラムＲＯＭ１２５のメモリエリアの構成を示す概念図である。プログラムＲＯＭ１２５は、ソフトウェアプログラム格納領域１２５１及びその他の格納領域１２５２とを有している。ソフトウェアプログラム格納領域１２５１には、本実施の形態の特徴であるカメラアプリケーションが格納されており、その他の格納領域１２５２にはその他のアプリケーションが格納されている。
【００２２】
図４は、前記ＲＡＭ１２４のメモリエリアの構成を示す概念図である。ＲＡＭ１２４は、アドレス帳記憶領域１２４１、メールデータ記憶領域１２４２、画像メモリ１２４３、及びその他のワーク領域１２４４からなる。アドレス帳記憶領域１２４１は、氏名、電話番号、メールアドレス等を１レコードとして複数記憶する。メールデータ記憶領域１２４２には、メールソフトウェアを使用して作成されたメールデータや、受信したメールデータを格納する。画像メモリ１２４３は、撮影された画像の画像ファイルを格納する。その他のワーク領域１２４４は、ワークメモリとして各種データ格納する。
【００２３】
次に、以上の構成に係る携帯電話１の動作について説明する。着信待受け状態においては、この携帯電話１は一般的な携帯電話と同様に機能する。この着信待受け状態において着信があった場合には、ＬＥＤインジケーター１１７が点滅しユーザに着信を報知する。そして、ユーザが携帯電話１をカメラとして使用すべく、カメラキー１０４のワンタッチ操作を検出すると、制御部１２２は、このカメラキー１０４の操作に応答してカメラモードに移行し、ソフトウェアプログラム格納領域１２５１に記憶されるカメラアプリケーションをロードし、図５に示すフローチャートに従って処理を実行する。
【００２４】
先ず、メイン表示部１０２にスルー画像を表示させ（ステップＳ１）、ＬＥＤインジケーター１１７を点滅動作させる（ステップＳ２）。すなわち、図６のタイミングチャートに示すように、ＶＤ（Ｖドライバー１３２）はＴＧ１３１が発生したタイミング信号に基づき、１３３ｍｓ間隔でＣＣＤ１３０を駆動し、ＣＣＤ１３０は１３３ｍｓ間隔で露光して被写体像を取り込み画像信号を発生する。このＣＣＤ１３０から画像信号は、ユニット回路１３３でプリプロセス処理等され、ＤＳＰ１３４でカラー処理、メイン表示部１０２の解像度に応じた解像度変換、回転処理され、イメージデータに基づき、表示モジュール系ドライバ１２８がメイン表示部１０２を駆動することにより、撮像レンズ１１８によりＣＣＤ１３０上に結像された被写体像がＬＣＤ（メイン表示部１０２）に表示される。
【００２５】
また、このとき、ＬＥＤインジケーター１１７はＯＮ、ＯＦＦを繰り返して点滅動作している。したがって、カメラモードに移行すると、撮像レンズ１１８が設けられた面である蓋部の背面であって、撮像レンズ１１８の近傍に配置されたＬＥＤインジケーター１１７が点滅することにより、被写体に対し、撮影モードであることを知らせることができる。
【００２６】
次に、カメラモードにおいてはシャッターキーとして機能する決定キー１０７が操作されたか否かを判断する（ステップＳ３）。決定キー１０７が操作されたならば、ＬＥＤインジケーター１１７を消灯させて（ステップＳ４）、ＣＣＤ１３０の露光時間が経過した否かを判断する（ステップＳ５）。ＣＣＤ１３０の露光時間が経過するまで、ＬＥＤインジケーター１１７の消灯状態を維持し、露光時間が経過したならば、画像処理（ステップＳ７）、及び記録処理（ステップＳ８）を実行する。
【００２７】
すなわち、図７のタイミングチャートに示すように、決定キー１０７の操作により撮影が開始されると、Ｖドライバー１３２によって駆動されるＣＣＤ１３０の露光時間においてＬＥＤインジケーター１１７を消灯させる。ＣＣＤ１３０の露光時間が過ぎると、ＬＥＤインジケーター１１７を点灯させる。そして、前記画像処理（ステップＳ７）により、ＣＣＤ１３０が１３３ｍｓ間隔で露光することにより取り込まれた画像信号は、ユニット回路１３３でプリプロセス処理等し、ＤＳＰ１３４でカラー処理、解像度変換、回転処理するとともに、ＪＰＥＧ圧縮処理して画像ファイルを生成する。また、この画像ファイルの画像をメイン表示部１０２にプレビュー画像表示する。
【００２８】
さらに、前記記録処理（ステップＳ８）により、前記画像ファイルをファイル名とともに画像メモリ１２４３に記憶させる。このとき、画像メモリ１２４３に記憶された画像ファイル中の画像は、ＬＥＤインジケーター１１７が消灯した状態でＣＣＤ１３０の露光により得られた画像であることから、記憶された画像ファイルの画像にＬＥＤインジケーター１１７の光による影響が生ずることがない。よって、ＬＥＤインジケーター１１７による盗撮防止効果を発生しつつ、ＬＥＤインジケーター１１７からの光による撮影画像への影響を回避することができる。
【００２９】
なお、本実施の形態においては、本発明を携帯電話に適用した場合を示したが、これに限ることなく、ＰＤＡ、デジタルカメラ単体、携帯型ゲーム機等撮像機能を有する他の機器に適用し得ることは勿論である。
【図面の簡単な説明】
【００３０】
【図１】（ａ）は本発明の一実施の形態に係る携帯電話の正面図、（ｂ）は背面図である。
【図２】携帯電話の構成を示すブロック図である。
【図３】プログラムＲＯＭのメモリエリアの構成を示す概念図である。
【図４】ＲＡＭのメモリエリアの構成を示す概念図である。
【図５】本実施の形態の処理手順を示すフローチャートである。
【図６】撮像動作前の動作を示すタイミングチャートである。
【図７】撮像時の動作を示すタイミングチャートである。
【符号の説明】
【００３１】
１    携帯電話
１０２    メイン表示部
１０４    カメラキー
１０７    決定キー
１１７    ＬＥＤインジケーター（発光素子、報知手段、報知部）
１１８    撮像レンズ（撮像手段、撮像部）
１２１    無線部
１２２    制御部（撮影制御手段）
１２４    ＲＡＭ
１２５    プログラムＲＯＭ
１２８    表示モジュール系ドライバ
１３０    ＣＣＤ
１３１    ＴＧ
１３２    Ｖドライバー
１３３    ユニット回路
１３４    ＤＳＰ
１２４３    画像メモリ
１２４４    ワーク領域
１２５１    ソフトウェアプログラム格納領域
【図１】
2006038991.tif 000003
【図２】
2006038991.tif 000004
【図３】
2006038991.tif 000005
【図４】
2006038991.tif 000006
【図５】
2006038991.tif 000007
【図６】
2006038991.tif 000008
【図７】
2006038991.tif 000009